(57)【要約】  予約情報と予約の実行状況との連携が可能な予約管理システム、入力装置、予約管理方法、及びプログラムを提供する。予約管理システム（１１）は、入力装置（２１）と、予約管理装置（４１）と、を備える。入力装置（２１）は、第１位置と第２位置との間で移動可能な操作部（２１１）を有し、操作部（２１１）の移動情報と、ＩＤ情報とを含む無線信号を送信する。予約管理装置（４１）は、入力装置（２１）が送信した無線信号に基づいて、予約管理を行う。予約管理装置（４１）は、計時部（４５）と、記憶部（４４）と、判断部（４３）と、を有する。計時部（４５）は、時刻を計時する。記憶部（４４）は、開始予定時刻を含む予約情報、及びＩＤ情報を対応付けて記憶する。判断部（４３）は、現在の時刻と予約開始時刻と移動情報とに基づいて、予約の実行状況を判断する。
2019102916.tif 000002
【特許請求の範囲】
【請求項１】
第１位置と第２位置との間で移動可能な操作部を有し、前記操作部が移動された場合に、前記操作部の移動情報と、ＩＤ情報とを含む無線信号を送信する入力装置と、
前記入力装置が送信した前記無線信号に基づいて、予約管理を行う予約管理部と、を備え、
前記操作部は、
予約の実行が開始される場合、前記第１位置から前記第２位置に移動され、
予約の実行が終了される場合、前記第２位置から前記第１位置に移動され、
前記予約管理部は、
時刻を計時する計時部と、
予約開始時刻を含む予約情報、及び前記ＩＤ情報を対応付けて記憶する記憶部と、
現在の時刻と前記予約開始時刻と前記移動情報とに基づいて、予約の実行状況を判断する判断部と、を有する、
予約管理システム。
【請求項２】
前記判断部は、前記操作部が前記第２位置から前記第１位置に移動されてから、所定時間後に予約の実行が終了したと判断する、
請求項１に記載の予約管理システム。
【請求項３】
前記判断部は、
前記予約開始時刻に前記操作部が前記第２位置にある場合、予約の実行が開始されたと判断し、
前記予約開始時刻から所定時間までに前記操作部が前記第１位置から前記第２位置に移動されなかった場合、予約をキャンセルする、
請求項１又は２に記載の予約管理システム。
【請求項４】
前記判断部は、予約がない時間帯に前記操作部が前記第１位置から前記第２位置に移動された場合、前記記憶部に、前記予約情報を記憶せず、実行履歴を記憶する、
請求項１〜３のいずれか１項に記載の予約管理システム。
【請求項５】
前記判断部は、予約がない時間帯に前記操作部が前記第１位置から前記第２位置に移動された場合、前記記憶部に、現在の時刻を前記予約開始時刻とする前記予約情報を前記記憶部に記憶する、
請求項１〜３のいずれか１項に記載の予約管理システム。
【請求項６】
前記判断部は、予約がない時間帯に前記操作部が前記第１位置から前記第２位置に移動された場合、前記記憶部に、現在の時刻から所定時間後、又は次の予約の前記予約開始時刻を予約終了時刻とする前記予約情報を前記記憶部に記憶する、
請求項５に記載の予約管理システム。
【請求項７】
前記記憶部は、前記入力装置における前記操作部の現在の位置と前記ＩＤ情報とを対応付けて記憶する、
請求項１〜６のいずれか１項に記載の予約管理システム。
【請求項８】
請求項１〜７のいずれか１項に記載の予約管理システムに用いられ、
前記操作部と、
前記予約の実行状況を表示する表示部と、
前記操作部及び前記表示部を保持するケースと、を備え、
前記表示部は、前記操作部の移動に応じて移動するように構成され、前記操作部が前記第１位置と前記第２位置との少なくとも一方の位置にある場合、前記ケースから突出する、
入力装置。
【請求項９】
予約の実行が開始される場合に第１位置から第２位置に移動され、予約の実行が終了される場合に前記第２位置から前記第１位置に移動される操作部を有し、前記操作部が移動された場合に、前記操作部の移動情報と、ＩＤ情報とを含む無線信号を送信する入力装置が送信した前記無線信号に基づいて、予約管理を行う予約管理方法であって、
予約開始時刻を含む予約情報、及び前記ＩＤ情報を対応付けて記憶部に記憶し、
現在の時刻と前記予約開始時刻と前記移動情報とに基づいて、予約の実行状況を判断する、
予約管理方法。
【請求項１０】
コンピュータシステムに、請求項９に記載の予約管理方法を実行させるためのプログラム。
【発明の詳細な説明】
【技術分野】
【０００１】
本開示は、一般に予約管理システム、入力装置、予約管理方法、及びプログラムに関し、より詳細には予約を管理する予約管理システム、入力装置、予約管理方法、及びプログラムに関する。
【背景技術】
【０００２】
従来、会議室や打ち合せコーナーなどの利用状況を遠隔的に確認可能とする利用状況管理システム（予約管理システム）がある（例えば、特許文献１参照）。従来の利用状況管理システムは、表示プレート装置と、中継器と、処理装置と、を含んでいる。【０００３】
表示プレートは、プレート支持部材と、通信部と、を備えている。プレート支持部材は、表示プレートを着脱自在に保持し、スライド操作により表示窓に表示プレートの第１状態情報を位置させる第１位置と、表示窓に表示プレートの第２状態情報を位置させる第２位置と、の間で移動自在に設けられている。通信部は、プレート支持部材の移動に応じた信号を送信する。【０００４】
中継器は、表示プレート装置からの信号を受信し、通信プロトコルを変換して送信する。【０００５】
処理装置は、中継器から受信した信号に基づき、表示プレート装置で選択表示している第１状態情報又は第２状態情報に対応した状態を画面に表示する。【０００６】
しかしながら、従来の予約管理システムでは、施設の利用状況が画面に表示されるに過ぎず、予約情報と利用状況との連携ができなかった。
【先行技術文献】
【特許文献】
【０００７】
【特許文献１】登録実用新案第３１９１５８０号公報
【発明の概要】
【０００８】
本開示は、この問題を解決したもので、予約情報と予約の実行状況との連携が可能な予約管理システム、入力装置、予約管理方法、及びプログラムを提供することにある。
【０００９】
本開示の一態様に係る予約管理システムは、入力装置と、予約管理部と、を備える。前記入力装置は、第１位置と第２位置との間で移動可能な操作部を有し、前記操作部が移動された場合に、前記操作部の移動情報と、ＩＤ情報とを含む無線信号を送信する。前記予約管理部は、前記入力装置が送信した前記無線信号に基づいて、予約管理を行う。前記操作部は、予約の実行が開始される場合、前記第１位置から前記第２位置に移動され、予約の実行が終了される場合、前記第２位置から前記第１位置に移動される。前記予約管理部は、計時部と、記憶部と、判断部と、を有する。前記計時部は、時刻を計時する。前記記憶部は、予約開始時刻を含む予約情報、及び前記ＩＤ情報を対応付けて記憶する。前記判断部は、現在の時刻と前記予約開始時刻と前記移動情報とに基づいて、予約の実行状況を判断する。
【００１０】
本開示の一態様に係る入力装置は、前記予約管理システムに用いられ、前記操作部と、表示部と、ケースと、を備える。前記表示部は、前記予約の実行状況を表示する。前記ケースは、前記操作部及び前記表示部を保持する。前記表示部は、前記操作部の移動に応じて移動するように構成され、前記操作部が前記第１位置又は前記第２位置にある場合、前記ケースから突出する。
【００１１】
本開示の一態様に係る予約管理方法は、入力装置が送信した無線信号に基づいて、予約管理を行う。前記入力装置は、操作部を有する。前記操作部は、予約の実行が開始される場合に第１位置から第２位置に移動され、予約の実行が終了される場合に前記第２位置から前記第１位置に移動される。前記入力装置は、前記操作部が移動された場合に、前記操作部の移動情報と、ＩＤ情報とを含む無線信号を送信する。前記予約管理方法は、予約開始時刻を含む予約情報、及び前記ＩＤ情報を対応付けて記憶部に記憶し、現在の時刻と前記予約開始時刻と前記移動情報とに基づいて、予約の実行状況を判断する。
【００１２】
本開示の一態様に係るプログラムは、コンピュータシステムに前記予約管理方法を実行させる。
【図面の簡単な説明】
【００１３】
【図１】図１は、本開示の一実施形態に係る予約管理システムのブロック図である。
【図２】図２Ａは、同上の予約管理システムの入力装置の概略図である。図２Ｂは、同上の入力装置の平面図である。
【図３】図３は、同上の予約管理システムの基本動作のフローチャートである。
【図４】図４は、同上の予約管理システムの第１動作例のフローチャートである。
【図５】図５は、同上の予約管理システムの第２動作例のフローチャートである。
【図６】図６は、同上の予約管理システムの第３動作例のフローチャートである。
【図７】図７は、同上の予約管理システムの第４動作例のフローチャートである。
【図８】図８は、同上の予約管理システムの動作説明図である。
【図９】図９は、同上の予約管理システムの動作説明図である。
【図１０】図１０Ａは、一実施形態に係る予約管理システムの第１変形例の入力装置の概略図である。図１０Ｂは、同上の入力装置の平面図である。
【図１１】図１１Ａは、同上の入力装置が扉に設置された状態の正面図である。図１１Ｂは、同上の入力装置が扉に設置された状態の平面図である。
【図１２】図１２は、同上の入力装置が壁に設置された状態の平面図である。
【図１３】図１３は、同上の入力装置の変形例の概略図である。
【図１４】図１４Ａは、同上の入力装置の別の変形例の第１状態の平面図である。図１４Ｂは、同上の入力装置の別の変形例の第２状態の平面図である。
【発明を実施するための形態】
【００１４】
以下に説明する実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１５】
（実施形態１）
（１）概要
以下、本実施形態における予約管理システムについて説明する前に、一般的な予約管理システムについて説明する。一般的な予約管理システムは、例えば会議室の入退室を管理する入退室管理装置を有している。入退室管理装置は、たとえば人感センサあるいはＩＣカードリーダなどの人を検知するための検知装置、あるいはドアの開閉を検知するセンサなどと、パーソナルコンピュータ（以下単にコンピュータという）あるいはタブレット端末などと、を含んでいる。検知装置の出力は、コンピュータへと入力されている。そして、管理装置は、管理対象の会議室へ設置されており、会議室に配線された電源線を介した電力の供給を受けて動作する。
【００１６】
ところが、たとえば展示会の会場に設営された臨時の会議室や打合せスペースなどでは、これらの施設全てに電源線を配線することや、検知装置を準備することは、長い作業時間や費用を要する。また、展示会の場合、催しによって会議室や打合せスペースなどの配置や場所などが異なる場合がある。さらに、これらの場合を含め、入室セキュリティが低く、不特定多数の人間が出入りでき、監視も不十分な施設に、高価なコンピュータやタブレット端末を設置することは防犯上の面からも好ましくない。
【００１７】
そこで、本実施形態に係る予約管理システムは、電源線、ＬＡＮケーブル（LAN: Local Area Network）などが配線されていない場所、さらには不特定多数の人が利用するようなセキュリティの低い場所などにおいても、安価にかつ簡単に設置できる予約管理システムの実現を目指している。
【００１８】
本実施形態に係る予約管理システム１１の概念図を図１に示す。本実施形態に係る予約管理システム１１は、予約対象の予約、及び予約の実行状況などを管理するシステムである。
【００１９】
本実施形態では、予約対象は、例えば会社内の会議室１２ａ、打合せスペース１２ｂなど（以下、これらを総称して施設１２という）の利用である。つまり、本実施形態では、予約管理システム１１は、施設１２の利用予約、施設１２の利用状況などを管理する。ここで、打合せスペース１２ｂとは、隣とのスペースとの間が壁などで区切られておらず、打合せのための机や椅子などが複数設置された空間である。
【００２０】
予約管理システム１１は、入力装置２１と、予約管理部としての予約管理装置４１と、入力端末５１と、を有している。
【００２１】
入力装置２１は、施設１２の利用状況を周囲に知らせ、かつ、その利用状況を無線信号を介して予約管理装置４１に出力する装置である。入力装置２１は、施設１２あるいは施設１２の近くに設置される。入力装置２１は、ユーザ（利用者）の操作によって移動する操作部２１１（図２Ａ、図２Ｂ参照）を有している。操作部２１１の移動によって、表示部２１１１の２つの表記（例えば、「入室」及び「空室」）のうち、一方の表記が選択的に露出され、他方の表記が選択的に被覆される。この結果、表示部２１１１の表示状態（「入室」、「空室」）で、施設１２の利用状況が周囲に知らせられる。表示部２１１１の表示状態とは、２つの表記（「入室」、「空室」）のうち、露出している表記を示している。また、入力装置２１は、操作部２１１が移動されると、その移動情報とＩＤ情報とを含む状態信号を無線信号で送信する。移動情報とは、操作部２１１の移動方向を示す情報である。
【００２２】
予約管理装置４１は、例えばサーバであって、入力装置２１及び入力端末５１と通信可能に構成されている。予約管理装置４１は、施設１２の予約管理を行う。具体的には、予約管理装置４１は、施設１２の利用予約の受け付け、施設１２の予約状況、施設１２の利用状況などを管理する。
【００２３】
予約管理装置４１は、回線６１に接続されている。回線６１は、ネットワーク回線であって、インターネット回線あるいは、社内イントラネット回線などを含んでも良い。回線６１には、中継器３１がさらに接続されている。中継器３１は、入力装置２１との間で無線通信が可能に構成されている。つまり、本実施形態では、入力装置２１から送信された無線信号は、中継器３１で受信され、回線６１を介して無線信号に含まれる移動情報及びＩＤ情報が予約管理装置４１に送信される。これにより、予約管理システム１１は、施設１２にＬＡＮケーブルなどが配線されていなくても、施設１２の利用状況を管理することができる。
【００２４】
入力端末５１は、施設１２を利用したい人（以下、利用者）が操作する端末である。利用者は、入力端末５１を用いて、施設１２の利用予約の入力（申請）、施設１２の予約状況、利用状況の確認等を行うことができる。
【００２５】
本実施形態の予約管理システム１１では、施設１２の利用するユーザ（利用者）が、施設１２の利用を開始する際に、入力装置２１の操作部２１１を操作して表示部２１１１の表示状態を「空室」から「入室」に変更する入室操作を行う。この入室操作をトリガとして、入力装置２１から状態信号が送信される。また、利用者が、施設１２の利用を終了する際に、入力装置２１の操作部２１１を操作して表示部２１１１の表示状態を「入室」から「空室」に変更する退室操作を行う。この退室操作をトリガとして、入力装置２１から状態信号が送信される。予約管理装置４１は、入力装置２１から送信された状態信号に含まれる移動情報と、施設１２の予約状況と、現在の時刻と、に基づいて、施設１２の予約の実行状況（利用状況）を判断する。
【００２６】
これにより、予約管理システム１１では、簡易な構成で施設１２の予約情報と利用状況（予約の実行状況）との連携が可能になる。
【００２７】
（２）予約管理システムの構成
以下に、予約管理システム１１の構成について説明する。
【００２８】
（２．１）入力装置
まず、入力装置２１の構成について、図２Ａ、図２Ｂを参照して説明する。
【００２９】
図２Ａは、入力装置２１の概念図である。図２Ｂは、入力装置２１の正面図である。
【００３０】
入力装置２１は、操作部２１１と、移動検知部２１２と、電源部２１３と、通信部２１４と、ケース２１５と、を有している。操作部２１１と、移動検知部２１２と、電源部２１３と、通信部２１４とは、ケース２１５内に収納（保持）されている。
【００３１】
図１に示すように、施設１２が会議室１２ａである場合、入力装置２１（ケース２１５）は、たとえば会議室１２ａの出入口の扉、出入口付近の壁などの構造物に設置される。また、施設１２が打合せスペース１２ｂのようなオープンスペースである場合、入力装置２１（ケース２１５）は、たとえば机の上に設置される。
【００３２】
ケース２１５は、一方向（図２Ａ、図２Ｂでは左右方向）に長い直方体状に形成されている。ケース２１５は、固定部によって出入口の扉、机、壁などの構造物に固定される。固定部は、例えば、ケース２１５の外面に設けられた両面テープである。固定部は、ケース２１５に形成された固定孔を介して構造物に結合されるねじであってもよい。また、固定部は、扉、壁等の構造物が磁性体である場合、磁石であってもよい。
【００３３】
また、ケース２１５の正面には、一方向に長い矩形状の開口２１５１が形成されている。
【００３４】
操作部２１１は、ケース２１５内におけるケース２１５の正面側に配置されており、一方向に沿った往復移動が可能に構成されている。図２Ａ、図２Ｂ中の矢印は、操作部２１１の移動方向を示しており、実態を伴うものではない。操作部２１１は、表示部２１１１と、つまみ２１１２と、一対の突出部２１１３と、を有している。表示部２１１１は、一方向に長い矩形板状に形成されている。つまみ２１１２は、表示部２１１１の一面（開口２１５１側の面）における一方向の中央部から突出しており、ケース２１５の開口２１５１を貫通している。利用者は、ケース２１５から突出したつまみ２１１２に指をかけて、操作部２１１を一方向にスライド移動させることができる。つまり、操作部２１１は、第１位置と第２位置との間を一方向に移動可能である。第１位置とは、ケース２１５の開口２１５１における一方向（開口２１５１の長手方向）の一端側につまみ２１１２がある状態の位置であり、第２位置とは、ケース２１５の開口２１５１における一方向の他端側につまみ２１１２がある状態の位置である。
【００３５】
表示部２１１１の一面には、予約の実行状況（施設１２の利用状況）を示す２つの表記（「入室（又は使用中）」、「空室」）が設けられている。一方の表記は、つまみ２１１１に対して一方側に設けられ、他方の表記は、つまみに対して他方側に設けられている。言い換えれば、予約の実行状況を示す２つの表記は、ケース２１５の開口２１５１から突出するつまみ２１１２を挟んだ位置に設けられている。これにより、操作部２１１が第１位置にある場合、一方の表記が開口２１５１から露出し、他方の表記がケース２１５で覆われる。また、操作部２１１が第２位置にある場合、他方の表記が開口２１５１から露出し、他方の表記がケース２１５で覆われる。つまり、操作部２１１が第１位置にある場合と第２位置にある場合とで、２つの表記のうち開口２１５１から露出する表記が選択的に切り替わる。本実施形態では、操作部２１１が第１位置にある場合、「空室」という表記が開口２１５１から露出し、操作部２１１が第２位置にある場合、「入室」という表記が開口２１５１から露出する。なお、２つの表記は、文字で表されていてもよいし、色、記号、図形などで表されていてもよい。また、入力装置２１は、操作部２１１の位置に応じて表示内容が変化する液晶ディスプレイ、ＬＥＤなどを表示部として備えていてもよい。この場合、表示部は、操作部２１１とは別体に設けられていてもよい。
【００３６】
一対の突出部２１１３は、表示部２１１１の他面（開口２１５１と反対側の面）から突出している。一対の突出部２１１３は、一方向において離れて形成されており、２つの表記（「入室」、「空室」）の裏側部分に設けられている。
【００３７】
移動検知部２１２は、操作部２１１の移動を検知するように構成されている。具体的には、移動検知部２１２は、操作部２１１が第１位置から第２位置へ移動したか、操作部２１１が第２位置から第１位置へ移動したか、を検知するように構成されている。移動検知部２１２は、２つスイッチ２１２１を備えている。２つのスイッチ２１２１は、例えばプッシュスイッチで構成されている。２つのスイッチ２１２１は、操作部２１１の位置に応じて、一方のスイッチ２１２１のみが突出部２１１３によって押されてオンするように配置されている。つまり、操作部２１１が第１位置にある場合、一方のスイッチ２１２１がオンして他方のスイッチ２１２１がオフし、操作部２１１が第２位置にある場合、一方のスイッチ２１２１がオフして他方のスイッチ２１２１がオンする。これにより、移動検知部２１２は、２つのスイッチ２１２１のオン／オフ状態によって、操作部２１１が第１位置から第２位置へ移動したか、操作部２１１が第２位置から第１位置へ移動したか、を検知することができる。
【００３８】
電源部２１３は、たとえば一次電池であり、通信部２１４及び移動検知部２１２に電力を供給する。なお、電源部２１３は、一次電池に限られず、二次電池や、商用電源であってもよい。また、電源部２１３は、操作部２１１の移動によって電力を生成する発電装置であってもよい。この場合、電源部２１３は、コイルを備え、操作部２１１の移動に伴って移動する磁石による電磁誘導によって電力を発生する。電源部２１３は、操作部２１１の移動によって電力を発生するので、電源部２１３が移動検知部２１２を兼ねることができる。電源部２１３が発電装置である場合、電池交換が不要となり、利便性が向上する。
【００３９】
通信部２１４は、無線信号を送信可能な無線通信モジュールである。通信部２１４は、移動検知部２１２が操作部２１１の移動を検知すると、状態信号を送信する。状態信号は、無線信号であって、ＩＤ情報と移動情報とを含んでいる。
【００４０】
ＩＤ情報とは、入力装置２１の固有情報である。ＩＤ情報は、入力装置２１の識別だけでなく、入力装置２１が設けられている施設１２の識別に用いることができる。例えば、ＩＤ情報と施設１２の管理ＩＤとを対応付けておくことによって、予約管理装置４１は、複数の施設１２のうち、どの施設１２に設けられた入力装置２１からの状態信号であるかを識別することができる。ＩＤ情報は、入力装置２１に設けられたメモリに記憶されている。
【００４１】
移動情報とは、操作部２１１の移動方向を示す情報であって、操作部２１１が第１位置から第２位置へ移動したか、操作部２１１が第２位置から第１位置へ移動したか、を示している。言い換えれば、移動情報は、移動後の操作部２１１が第１位置であるか第２位置であるかを示している。
【００４２】
通信部２１４は、移動検知部２１２が操作部２１１の移動を検知すると、ＩＤ情報と移動情報とを含む状態信号を送信する。本実施形態では、移動情報が第１位置から第２位置へ移動したことを示す状態信号を第１信号ともいい、移動情報が第２位置から第１位置へ移動したことを示す状態信号を第２信号ともいう。つまり、利用者が施設１２の利用を開始する際に、操作部２１１を「空室」という表記が露出した第１位置から「入室」という表記が露出した第２位置へ移動すると、通信部２１４は、第１信号を送信する。また、利用者が施設１２の利用を終了する際に、操作部２１１を「入室」という表記が露出した第２位置から「空室」という表記が露出した第１位置へ移動すると、通信部２１４は、第２信号を送信する。
【００４３】
通信部２１４から送信された状態信号は、中継器３１、回線６１を介して予約管理装置４１に送信される。
【００４４】
（２．２）入力端末
入力端末５１（図１参照）は、施設１２の利用者が操作する端末である。入力端末５１は、例えば、パソコン、スマートフォン、タブレット端末等であり、回線６１を介して予約管理装置４１と通信可能に構成されている。なお、パソコンは、利用者個人が業務で使用しているパソコンであってもよいし、部署で共用に使用しているパソコンであってもよい。また、スマートフォン、タブレット端末は、利用者個人が所有しているスマートフォン、タブレット端末であってもよいし、共用（社用）のスマートフォン、タブレット端末であってもよい。
【００４５】
利用者は、入力端末５１を用いて、施設１２の利用予約の入力（申請）、施設１２の予約状況の確認、施設１２の利用状況の確認などを行うことができる。
【００４６】
（２．３）予約管理装置
予約管理装置４１（図１参照）は、サーバであって、回線６１を介して、入力装置２１、入力端末５１と通信可能に構成されている。
【００４７】
予約管理装置４１は、制御部４１０と、記憶部４４と、計時部４５と、を有している。
【００４８】
制御部４１０は、例えば、ＣＰＵ（Central Processing Unit）及びメモリを主構成とするマイクロコンピュータにて構成されている。そして、ＣＰＵがメモリに格納されているプログラムを実行することにより、マイクロコンピュータが予約処理部４２、及び判断部４３として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００４９】
予約処理部４２は、施設１２の予約情報に関する予約処理を行う。予約処理部４２は、入力端末５１から入力（申請）された施設１２の利用予約に基づいた予約情報を記憶部４４に記憶する。この予約情報には、施設１２に対応付けられた管理ＩＤ、予約開始時刻、予約終了時刻、利用者の識別情報（例えば利用者名）等が含まれている。本実施形態では、施設１２の管理ＩＤは、この施設１２に設けられている入力装置２１のＩＤ情報と同じである。なお、施設１２の管理ＩＤと、入力装置２１のＩＤ情報とは、対応付けられていればよく、互いに異なるデータであってもよい。
【００５０】
記憶部４４は、半導体メモリ、ハードディスク等の記憶デバイスである。記憶部４４には、施設１２の管理ＩＤ（入力装置２１のＩＤ情報）と、施設１２の予約情報を格納している。つまり、記憶部４４は、施設１２の管理ＩＤに対応付けた施設１２の予約情報を記憶している。言い換えれば、記憶部４４は、施設１２の管理ＩＤと予約情報とのテーブルを記憶している。記憶部４４は、施設１２の利用予約の予約開始時刻と予約終了時刻とを記憶している。
【００５１】
また、記憶部４４には、予約管理装置４１が受信した状態信号に基づいて、各入力装置２１における操作部２１１の現在の位置情報が記憶されている。つまり、記憶部４４は、入力装置２１における操作部２１１の位置とＩＤ情報とを対応付けて記憶している。これにより、制御部４１０は、予約管理装置４１と入力装置２１とが通信することなく操作部２１１の現在の位置を把握することができる。
【００５２】
また、予約管理装置４１は、入力端末５１において、施設１２の予約確認のための操作が行われると、記憶部４４に記憶されている各施設１２の予約情報を入力端末５１に送信する。これにより、入力端末５１の表示画面には、各施設１２の予約情報が表示される。利用者は、入力端末５１を操作して、施設１２の予約が入っていない時間帯に利用予約を申請することができる。また、利用者は、入力端末５１を操作して、自身（利用者）が以前に申請した利用予約の変更（時間の変更、予約の削除など）を行うことができる。予約処理部４２は、入力端末５１からの施設１２の利用予約の変更申請を受け付けると、この変更申請に基づいて記憶部４４に記憶されている予約情報を変更する。
【００５３】
計時部４５は、時間を計時する。例えば、計時部４５は、リアルタイムクロックであり、現在の時刻を計時するように構成されている。計時部４５が計時している時刻情報は、制御部４１０（予約処理部４２、及び判断部４３）へと出力される。
【００５４】
判断部４３は、施設１２の入力装置２１からの入力を監視し、各施設１２の利用状況を判断する。判断部４３は、現在の時刻と、記憶部４４に記憶されている予約開始時刻と、入力装置２１の操作部２１１の移動情報と、に基づいて、施設１２の利用状況（予約の実行状況）を判断する。判断部４３は、判断結果である施設１２の利用状況を記憶部４４に記憶する。つまり、記憶部４４には、施設１２の予約情報、及び予約の実行状況の実績（実行履歴）が記憶される。この実績には、施設２１の利用が開始された時刻、及び施設２１の利用が終了した時刻の情報が含まれている。施設２１の利用の開始及び終了の判断は、判断部４３によって行われる。これにより、予約管理装置４１は、各施設１２の利用履歴などを管理することができる。
【００５５】
後述の「（３）動作例」の欄で具体的に説明するが、判断部４３は、入力装置２１の操作部２１１の移動情報に基づいて、施設１２の利用状況を判断する。以下に、判断部４３による判断例を列挙する。
【００５６】
判断部４３は、入室操作の受付時間内における、入力装置２１の操作部２１１の移動情報に基づいて、施設１２の利用状況を判断する。入室操作とは、施設１２の利用者が、入力装置２１の操作部２１１を第１位置から第２位置へ移動させる操作である。受付時間とは、予約開始時刻に基づいた時間である。受付時間の開始時間は、予約開始時刻と同じ時刻、あるいは予約開始時刻の所定時間前（例えば１５分前）である。受付時間の開始時間は、予約管理装置４１の設定で適宜変更可能である。受付時間の終了時間は、予約開始時刻の所定時間後（例えば１５分後）である。
【００５７】
判断部４３は、入室操作の受付時間内に、入力装置２１からの第１信号（移動情報が第１位置から第２位置へ移動したことを示す状態信号）を受信すると、施設１２の利用予約を行った利用者が、施設１２の利用を開始（チェックイン）した（予約の実行を開始した）と判断する。
【００５８】
ここで、利用者が、例えば予約開始時刻から施設１２で会議を開始したいような場合、予約開始時刻よりも前に施設１２に入室して会議の準備を行うようなシチュエーションが想定される。このような場合、入室操作の受付時間の開始時間が、予約開始時刻よりも前に設定されていれば、予約開始時間よりも前に入室操作が行われても、予約がキャンセルされない。この場合、判断部４３は、受付時間内における予約開始時刻よりも前に第１信号を受信した場合、第１信号を予約時間内の初回受信として扱い、施設１２の利用が前倒しされたとみなす。したがって、判断部４３は、利用者が予約開始時刻以降に入室操作を行わなくても予約をキャンセルしない。
【００５９】
また、判断部４３は、入力装置２１からの第２信号（移動情報が第２位置から第１位置へ移動したことを示す状態信号）を受信すると、利用者による施設１２の利用が終了（チェックアウト）した（予約の実行が終了した）と判断する。つまり、判断部４３は、入力装置２１からの第２信号を受信すると、退室操作が行われたと判断する。退室操作とは、施設１２の利用者が、入力装置２１の操作部２１１を第２位置から第１位置へ移動させる操作である。予約終了時刻よりも前に退室操作が行われた場合、予約終了時刻までの残り時間がキャンセルされる。したがって、例えば、施設１２を利用したい別の利用者は、キャンセルされた時間帯の予約を行うことができる。これにより、施設１２の効率的な利用が促進できる。また、判断部４３は、予約終了時刻までに退室操作が行われなかった場合、施設１２の利用が延長されていると判断する。そして、判断部４３は、予約終了時刻よりも後に退室操作が行われた場合、延長された施設１２の利用が終了（チェックアウト）したと判断する。
【００６０】
また、判断部４３は、入室操作の受付時間内に、入力装置２１からの第１信号を受信せず、入力装置２１の操作部２１１が第１位置（空室表示）のままである場合、施設１２の利用が開始されていないと判断する。この場合、判断部４３は、この施設１２の予約をキャンセルし、記憶部４４に記憶されている予約情報を削除する。例えば、施設１２を予約した利用者が、施設１２を利用する予定がなくなったが予約のキャンセルを失念している場合、自動的に予約がキャンセルされる。したがって、例えば、施設１２を利用したい別の利用者は、キャンセルされた時間帯の予約を行うことができる。これにより、施設１２の効率的な利用が促進できる。
【００６１】
なお、判断部４３が記憶部４４に記憶されている予約情報を変更（削除）する構成に限らない。例えば、判断部４３は、記憶部４４に記憶されている予約情報を変更（削除）する旨の指示を行う構成でもよい。例えば、予約処理部４２が、判断部４３からの指示に応じて記憶部４４に記憶されている予約情報の変更（削除）を行う。
【００６２】
また、判断部４３は、入室操作の受付時間の開始時に、入力装置２１の操作部２１１が既に第２位置（入室表示）である場合、施設１２の利用予約を行った利用者が、施設１２の利用を開始した（予約の実行を開始した）と判断する。つまり、判断部４３は、前の予約の利用者の入室継続を、次の予約の利用者の入室とみなす（継続利用：可）。例えば、予約の時間帯が連続している場合、前の予約の利用者が施設１２の利用終了時に退室操作を行わず、入力装置２１が入室表示のままであっても、次の予約の予約開始時刻になると判断部４３は、利用が開始されたと判断する。これにより、利用者は、退室操作と入室操作とを連続して行う必要がない。
【００６３】
なお、予約管理装置４１の設定により、判断部４３は、受付時間の開始時に、操作部２１１が既に第２位置であっても、施設１２の利用が開始されていないと判断してもよい（継続利用：不可）。この場合、前の予約の利用者が退室操作を行わず、入力装置２１が入室表示のまま次の予約が予約開始時刻となった場合、判断部４３は、所定時間後に予約をキャンセルする。そのため、利用者は、施設１２の利用開始時に入力装置２１が入室表示である場合、一旦、退室操作を行った後に、入室操作を行う必要がある。これにより、判断部４３は、次の予約における施設１２の利用が開始（チェックイン）されたと判断し、予約がキャンセルされない。
【００６４】
また、判断部４３は、受付時間外であり、かつ予約がない時間帯に、入力装置２１からの第１信号を受信した場合、臨時の利用予約（臨時予約）が行われ、ゲストによる施設１２の利用が開始（チェックイン）されたと判断する。この場合、判断部４３は、第１信号を受信した時刻を予約開始時刻とする予約情報を記憶部４４に記憶する。臨時予約の予約終了時刻は、予約開始時刻から所定時間後（例えば、１５分後、３０分後）、あるいは次の利用予約の予約開始時刻を、予約終了時刻とする。したがって、入力端末５１に表示される予約状況の確認画面には、臨時予約という情報が反映される。なお、予約管理装置４１の設定により、判断部４３は、受付時間外であり、かつ予約がない時間帯に、入力装置２１からの第１信号を受信した場合でも、臨時予約の予約情報を記憶部４４に記憶しなくてもよい（臨時予約：不可）。この場合、記憶部４４には、ゲストによる施設１２の臨時利用が行われた実績（実行履歴）が記憶される。
【００６５】
ここで、臨時利用の場合、利用者は、施設１２にいるので、入力端末５１を携帯していなければ、臨時予約が正常に完了しているか否かの確認がすぐにできない。そこで、予約管理装置４１は、臨時予約が正常に完了した場合、予約完了信号を中継器３１を介して入力装置２１へ送信してもよい。この場合、入力装置２１は、臨時予約が正常に完了していることを表示するために、液晶表示器あるいはＬＥＤ（Light Emitting Diode）等の予約表示部を有していることが好ましい。入力装置２１は、予約完了信号を受信すると、予約表示部を用いて臨時予約が正常に完了したことを表示する。また、予約表示部が液晶表示器である場合、液晶表示器に予約された時間又は予約終了時間等を表示してもよい。また、予約表示部がＬＥＤである場合、ＬＥＤの点灯数によって予約された時間を示すこともできる。
【００６６】
また、判断部４３は、操作部２１１が第２位置（入室表示）から第１位置（空室表示）に移動されてから、所定時間後に施設１２の利用が終了（予約の実行が終了）したと判断する。つまり、判断部４３は、操作部２１１が第２位置から第１位置に移動されてから、所定時間内に操作部２１１が再び第２位置に移動された場合、施設１２の利用が継続していると判断する。例えば、判断部４３は、第２信号を受信すると、タイマのカウントアップを開始し、所定時間内に第１信号を受信した場合、施設１２の利用が継続していると判断する。言い換えれば、判断部４３は、第２信号を受信してから所定時間内に第１信号を受信しなかった場合、施設１２の利用が終了（チェックアウト）したと判断する。これにより、利用者が入力装置２１に誤って退室操作を行った場合でも、所定時間内に入室操作を行うと、退室操作が無効とされる。したがって、誤って利用予約が終了されることが抑制される。ただし、上記判断は、既に利用が開始（チェックイン）されていると判断された予約が対象であって、一度もチェックインが確認されていない場合、上記判断は行われない。
【００６７】
また、判断部４３は、予約時間内に入室操作が既に行われている場合、２回目以降の入室操作（複数回目入室操作）を無効と判断してもよい。２回目以降の入室操作とは、利用者が一旦、退室操作を行い、再度行う入室操作である。すなわち、判断部４３は、予約時間内に第１信号を２回以上受信した場合、２回目以降の第１信号を無視し、チェックインと判定せず、施設１２の利用が継続されている（チェックイン継続）と判定する。これにより、施設１２の利用開始（チェックイン）の判断が重複することが抑制される。また、施設１２の利用が終了（チェックアウト）したと誤判断することが抑制される。
【００６８】
上述した予約管理装置４１の設定により、判断部４３の判断処理の実行パターンは、表１及び表２に示す８つのパターンＡ〜Ｈに分類される。
【００６９】
【表１】
2019102916.tif 000003
【００７０】
【表２】
2019102916.tif 000004
【００７１】
なお、予約処理部４２と判断部４３とは、同一の装置（サーバ）に設けられた構成に限らず、異なる装置（サーバ）に設けられていてもよい。さらにこの場合、記憶部４４は、双方の装置（サーバ）のメモリで構成されていてもよいし、他の装置（サーバ）に設けられていてもよい。また、予約処理部４２は、汎用の予約プログラムによって構成されていてもよい。
【００７２】
（３）動作例
次に、本実施形態の予約管理システム１１の動作例について説明する。
【００７３】
まず、予約管理システム１１の基本動作について、図３を参照して説明する。
【００７４】
判断部４３は、記憶部４４に記憶されている予約情報、及び計時部４５が計時している現在の時刻情報を取得する（データ取得ステップＳ１）。そして、判断部４３は、予約開始時刻に基づいた受付時間の開始時刻と、現在時刻とを比較し、予約の有無を判定する（予約判定ステップＳ２）。なお、予約処理部４２が、判断部４３の代わりに予約の有無を判定してもよい。
【００７５】
判断部４３は、施設１２の利用予約がある場合、受付時間の開始時刻になると、記憶部４４を参照して、この施設１２に対応する入力装置２１の操作部２１１の位置を確認する（状態検知ステップＳ３）。
【００７６】
判断部４３は、操作部２１１が第１位置（空室が表示）である場合、受付時間中に入力装置２１からの状態信号（第１信号）を受信することによって、操作部２１１の入室操作を検知する（操作検知ステップＳ４）。また、判断部４３は、入力装置２１からの状態信号（第２信号）を受信することによって、操作部２１１の退室操作を検知する。
【００７７】
判断部４３は、入力装置２１からの状態信号に基づいて、施設１２の利用状況を判断（推定）する（利用状況判断ステップＳ５）。例えば、判断部４３は、受付時間中に受信した入力装置２１からの状態信号（ＩＤ情報、移動情報）に基づいて、その時点の施設１２の利用状況（空室または入室）を判断する。すなわち、判断部４３は、第１信号（空室表示から入室表示）を受信することによって、施設１２の利用が開始（チェックイン）されたと判断する。また、判断部４３は、第２信号（入室表示から空室表示）を受信することによって、施設１２の利用が終了（チェックアウト）したと判断する。
【００７８】
これにより、予約管理装置４１は、施設１２の利用状況を監視することができる。
【００７９】
判断部４３は、判断結果に応じて、記憶部４４に記憶されている予約情報、利用状況などを変更する（データ変更ステップＳ６）。例えば、受付時間を経過しても「入室」にならないような場合、判断部４３は、予約をキャンセルする。また、判断部４３は、予約終了時刻前に施設１２の利用が終了して第２信号を受信した場合、予約終了時刻までの予約をキャンセルする。したがって、他の利用者は、キャンセルされた時間帯の予約を行うことができる。その結果、施設１２が予約状態でありながら空室で使用されない状態の時間を短くできるので、施設１２の効率的な利用を促進できる。
【００８０】
また、判断部４３は、受付時間外に第１信号を受信した場合であっても、施設１２が利用中（入室）の状態へ変化したことを検知できる。したがって、予約管理システム１１（予約管理装置４１）は、施設１２が実際に使用された実績を管理することができる。
【００８１】
以上のように、予約管理装置４１は、利用者による入力装置２１への手動操作によって入力装置２１から送信される状態信号（第１信号、第２信号）から、施設１２の利用状況を管理することができる。したがって、入力装置２１の操作情報のみでも、施設１２の利用状況を簡単な構成によって予約管理することができる。
【００８２】
（３．１）第１動作例
以下に、予約管理システム１１の第１動作例について図４を参照して説明する。
【００８３】
第１動作例は、入力装置２１への操作を起点とした動作例である。また、第１動作例では、判断部４３の判断処理の実行パターンがパターンＡ、Ｂ、Ｅ、Ｆ（表１、表２参照）のいずれかとなるように予約管理装置４１が設定されている。つまり、第１動作例では、受付時間外に入室操作が行われた場合に、臨時予約を行うように設定されている。
【００８４】
まず、判断部４３は、入力装置２１からの状態信号を受信する（Ｓ１０１）。
【００８５】
次に、判断部４３は、入力装置２１からの状態信号に基づいて、操作部２１１の操作方向を判定する（Ｓ１０２）。操作部２１１の操作方向が第１位置（空室表示）から第２位置（入室表示）である場合（Ｓ１０２：入室）、判断部４３は、現在の時刻が、入室操作の受付時間内であるか否かを確認する（Ｓ１０３）。判断部４３は、現在時刻が、入室操作の受付時間内である場合（Ｓ１０３：Ｙｅｓ）、施設１２の利用が開始（チェックイン）されたと判断する（Ｓ１０４）。
【００８６】
判断部４３は、現在時刻が、入室操作の受付時間外である場合（Ｓ１０３：Ｎｏ）、予約時間中における１回以上の入室操作の有無を確認する（Ｓ１０５）。つまり、判断部４３は、他の利用者が、受付時間内に既に入室操作を行っており、施設１２の予約が実行中であるか否かを確認する。判断部４３は、予約時間中に１回以上の入室操作がある場合（Ｓ１０５：有）、施設１２の利用予約が実行中であるので、施設１２の利用が継続していると判断する（Ｓ１０４）。
【００８７】
また、判断部４３は、予約時間中に１回以上の入室操作がなかった場合（Ｓ１０５：無）、予約を行っていない利用者（ゲスト）の臨時利用と判断する。この場合、判断部４３は、次の予約の予約開始時刻までの時間を求める（Ｓ１０６）。判断部４３は、次の予約の予約開始時刻までの時間が、規定時間以上である場合、（Ｓ１０６：規定時間以上）、ゲストによる施設１２の利用が開始（チェックイン）されたと判断する（Ｓ１０７）。この場合、入室操作が行われた時点から、所定時間（規定時間以下）後を予約終了時刻とする臨時予約（第１臨時予約）が行われる（Ｓ１０８）。
【００８８】
また、次の予約開始時刻までの時間が、規定時間未満である場合（Ｓ１０６：規定時間未満）、ゲストによる施設１２の利用が開始（チェックイン）されたと判断する（Ｓ１０９）。この場合、次の予約の予約開始時刻を予約終了時刻とする臨時予約（第２臨時予約）が行われる（Ｓ１１０）。
【００８９】
また、判断部４３は、操作部２１１の操作方向が第２位置（入室表示）から第１位置（空室表示）である場合（Ｓ１０２：退室）、予約時間中に１回以上の入室操作の有無を確認する（Ｓ１１１）。つまり、判断部４３は、施設１２が利用中であるか否かを確認する。判断部４３は、予約時間中に１回以上の入室操作がなかった場合（Ｓ１１１：無）、延長又は退室操作を失念していた前の予約が終了（チェックアウト）したと判断する（Ｓ１１２）。
【００９０】
判断部４３は、予約時間中に１回以上の入室操作がある場合（Ｓ１１１：Ｙｅｓ）、規定時間待機する（Ｓ１１３）。判断部４３は、規定時間中、再入室操作が行われたか否かを確認する（Ｓ１１４）。判断部４３は、規定時間中、再入室操作が行われた場合（Ｓ１１４：有）、施設１２の利用（チェックイン）が継続していると判断する（Ｓ１１５）。つまり、判断部４３は、退室操作が行われてから短時間の間に入室操作が行われたので、退室操作を無効とする。また、判断部４３は、規定時間中、再入室操作が行われなかった場合（Ｓ１１４：無）、施設１２の利用が終了（チェックアウト）したと判断する（Ｓ１１６）。この場合、判断部４３がチェックアウトと判断してから、予約終了時刻までの時間帯の予約をキャンセルする（Ｓ１１７）。したがって、他の利用者が、キャンセルされた時間帯の予約を行い、施設１２を利用することができる。
【００９１】
（３．２）第２動作例
次に、予約管理システム１１の第２動作例について図５を参照して説明する。
【００９２】
第２動作例は、予約管理装置４１への施設１２の利用予約の申請（入力）を起点とした動作例である。また、第２動作例では、判断部４３の判断処理の実行パターンがパターンＡ（表１参照）となるように予約管理装置４１が設定されている。つまり、第２動作例では、前の予約の利用者の入室状態の継続を、次の予約の利用者の入室とみなす（継続利用：可）、と設定されている。また、第２動作例では、受付時間外に入室操作が行われた場合に、臨時予約を行うように設定されている。また、第２動作例では、入室操作の受付時間の開始時刻が、予約開始時刻に設定されている。
【００９３】
まず、判断部４３は、入力端末５１から施設１２の利用予約の申請又は変更が行われると、その予約情報を取得する（Ｓ２０１）。
【００９４】
判断部４３は、予約開始時刻（受付時間の開始時刻）と現在時刻とを比較する（Ｓ２０２）。現在時刻が予約開始時刻前である場合（Ｓ２０２：予約開始時刻前）、予約開始時刻まで待機する（Ｓ２０３）。判断部４３は、現在時刻が予約開始時刻に到達した場合（Ｓ２０２：予約開始時刻到達）、入力装置２１の操作部２１１の位置（第１位置、第２位置）を確認する（Ｓ２０４）。
【００９５】
現在時刻における操作部２１１の位置が第１位置（空室表示）である場合（Ｓ２０４：空室）、入室操作の受け付けを開始する（Ｓ２０５）。判断部４３は、受付時間中における入室操作の有無を確認する（Ｓ２０６）。判断部４３は、受付時間中に入室操作が行われた場合（Ｓ２０６：有）、施設１２の利用が開始（チェックイン）されたと判断する（Ｓ２０７）。
【００９６】
また、判断部４３は、受付時間中に入室操作が行われなかった場合（Ｓ２０６：無）、施設１２が利用されなかった予約（いわゆる空予約）であると判断する（Ｓ２０８）。この場合、判断部４３は、予約をキャンセルする（Ｓ２０９）。これにより、他の利用者が、キャンセルされた時間帯の予約を取ることができる。また、空予約を行った利用者を把握できるので、施設１２の管理者は、空予約に対する注意喚起を行うことができる。
【００９７】
現在時刻における操作部２１１の位置が第２位置（入室表示）である場合（Ｓ２０４：入室）、判断部４３は、次の予約が受付時間内に終了するか否かを確認する（Ｓ２１０）。判断部４３は、次の予約が受付時間内に終了する場合（Ｓ２１０：Ｙｅｓ）、施設１２の利用が開始（チェックイン）されたと判断する（Ｓ２１１）。つまり、判断部４３は、前の利用者の入室継続を、次の利用者の入室（チェックイン）とみなす。
【００９８】
また、判断部４３は、次の予約が受付時間内に終了しない場合（Ｓ２１０：Ｎｏ）、施設１２の利用が開始（チェックイン）されたと仮判定する（Ｓ２１２）。この場合、判断部４３は、所定時間の間、判定の確定待ちを行う（Ｓ２１３）。判断部４３は、待ち時間中における退室操作の有無を確認する（Ｓ２１４）。判断部４３は、待ち時間の間に退室操作が行われた場合（Ｓ２１４：無）、施設１２の利用が開始（チェックイン）されたという判定を確定する（Ｓ２１１）。また、判断部４３は、待ち時間の間に退室操作が行われた場合（Ｓ２１４：有）、前の予約における施設１２の利用が終了（チェックアウト）したと判断する（Ｓ２１５）。
【００９９】
（３．３）第３動作例
次に、予約管理システム１１の第３動作例について図６を参照して説明する。
【０１００】
第３動作例は、予約管理装置４１への施設１２の利用予約の申請（入力）を起点した動作例である。また、第３動作例では、判断部４３の判断処理の実行パターンがパターンＢ（表１参照）となるように予約管理装置４１が設定されている。つまり、第３動作例では、前の予約の利用者の入室状態の継続を、次の予約の利用者の入室とみなす（継続利用：可）、と設定されている。また、第３動作例では、入室操作の受付時間の開始時間は、予約開始時刻の所定時間前に設定されている。
【０１０１】
まず、判断部４３は、入力端末５１から施設１２の利用予約の申請又は変更が行われると、その予約情報を取得する（Ｓ３０１）。
【０１０２】
判断部４３は、受付時間の開始時刻（予約開始時刻の所定時間前）と現在時刻とを比較する（Ｓ３０２）。現在時刻が受付時間の開始時刻前である場合（Ｓ３０２：受付時間前）、受付時間の開始時刻まで待機する（Ｓ３０３）。判断部４３は、現在時刻が受付時間の開始時刻に到達した場合（Ｓ３０２：受付時間に到達）、入室操作の受け付けを開始する（Ｓ３０４）。判断部４３は、受付時間になると、入力装置２１の操作部２１１の位置（第１位置、第２位置）を確認する（Ｓ３０５）。
【０１０３】
判断部４３は、現在時刻における操作部２１１の位置が第１位置（空室表示）である場合（Ｓ３０５：空室）、受付時間中における入室操作の有無を確認する（Ｓ３０６）。ステップＳ３０６、及び以降のステップＳ３０７〜Ｓ３０９は、上述した第２動作例（図５参照）のステップＳ２０６〜Ｓ２０９と同じであるので、説明を省略する。
【０１０４】
現在時刻における操作部２１１の位置が第２位置（入室表示）である場合（Ｓ３０５：入室）、予約時間中における１回以上の入室操作の有無を確認する（Ｓ３１０）。
【０１０５】
判断部４３は、予約時間中に１回以上の入室操作がある場合（Ｓ３１０：有）、予約開始時刻までにおける退室操作の有無を確認する（Ｓ３１１）。予約開始時刻までに退室操作が行われた場合（Ｓ３１１：有）、予約管理装置４１は、上述した第１動作例（図４参照）で説明した入力装置２１への操作を起点とした動作を行う（Ｓ３１２）。
【０１０６】
予約時間中における１回以上の入室操作がない場合（Ｓ３１０：無）、及び予約開始時刻までに退室操作が行われなかった場合（Ｓ３１１：無）、次の予約が受付時間内に終了するか否かを確認する（Ｓ３１３）。ステップＳ３１３、及び以降のステップＳ３１４〜Ｓ３１８は、上述した第２動作例のステップＳ２１０〜Ｓ２１５と同じであるので、説明を省略する。
【０１０７】
（３．４）第４動作例
次に、予約管理システム１１の第４動作例について図７を参照して説明する。
【０１０８】
第４動作例は、予約管理装置４１への施設１２の利用予約の申請（入力）を起点した動作例である。また、第４動作例では、判断部４３の判断処理の実行パターンがパターンＥ（表２参照）となるように予約管理装置４１が設定されている。つまり、第４動作例では、前の予約の利用者の入室状態の継続を、次の予約の利用者の入室とみなさない（継続利用：不可）、と設定されている。また、第４動作例では、入室操作の受付時間の開始時間は、予約開始時刻に設定されている。
【０１０９】
まず、判断部４３は、入力端末５１から施設１２の利用予約の申請又は変更が行われると、その予約情報を取得する（Ｓ４０１）。
【０１１０】
判断部４３は、予約開始時刻（受付時間の開始時刻）と現在時刻とを比較する（Ｓ４０２）。現在時刻が予約開始時刻前である場合（Ｓ４０２：予約開始時刻前）、予約開始時刻まで待機する（Ｓ４０３）。判断部４３は、現在時刻が予約開始時刻に到達した場合（Ｓ４０２：予約開始時刻到達）、入室操作の受け付けを開始する（Ｓ４０４）。ステップＳ４０４、及び以降のステップＳ４０５〜Ｓ４０８は、上述した第２動作例（図５参照）のステップＳ２０５〜Ｓ２０９と同じであるので、説明を省略する。
【０１１１】
本動作例では、前の予約の利用者の入室状態の継続を、次の予約の利用者の入室とみなさない（継続利用：不可）、と設定されている。したがって、現在時刻が予約開始時刻になった場合に、入力装置２１の操作部２１１の位置の確認（第２動作例、図５のステップＳ０４参照）が行われない。したがって、利用者は、予約が連続している場合であっても、退室操作、入室操作を行う必要がある。
【０１１２】
（３．５）動作例のまとめ
次に、予約管理システム１１の動作例のまとめについて図８、及び図９を参照して説明する。ここでは、前の予約の利用者の入室状態の継続を、次の予約の利用者の入室とみなす（継続利用：可）、と設定されているとする。
【０１１３】
予約管理システム１１の利用シチュエーションとして、前の予約の利用者が退室時に退室操作を行う（Ｓ５００１）場合（図８参照）と、前の予約の利用者が退室時に退室操作を行わずに退室する（Ｓ６００１）場合（図９参照）と、がある。
【０１１４】
まず、前の予約の利用者が退室時に退室操作を行っている場合について、図８を参照して説明する。
【０１１５】
前の予約の利用者が退室時に退室操作を実行したとする（Ｓ５００１）。したがって、次の予約の利用者の入室時において、入力装置２１の操作部２１１の位置が第１位置（空室表示）である。
【０１１６】
その後のシチュエーションとして、以下の４つの例がある。
【０１１７】
１つ目のシチュエーションとして、受付時間内に最初に入室する利用者（一人目の利用者）が入室操作を実行する（Ｓ５１０１）、というシチュエーションがある。
【０１１８】
最初の利用者が行った入室操作（Ｓ５１０２）を、判断部４３は、１回目の入室操作（初回入室操作）であると判定する（Ｓ５１０３）。したがって、判断部４３は、施設１２の利用が開始（チェックイン）されたと判断する（Ｓ５１０４）。
【０１１９】
また、利用者が複数名であり、二人目以降の利用者が、再び入室操作を行う場合がある（Ｓ５１０５）。例えば、二人目の利用者が、入力装置２１の操作部２１１を第２位置（入室表示）から第１位置（退室表示）に移動させた後、所定時間内に再び第１位置（入室表示）へ移動させる場合がある。この場合、判断部４３は、二回目以降の入室操作（複数回目入室操作）と判定し、二人目の利用者が行った退室操作を無効とする（Ｓ５１０６）。したがって、判断部４３は、施設１２の利用が継続（チェックイン維持）されていると判断する（Ｓ５１０７）。
【０１２０】
また、利用者が施設１２の利用を終了し、退室操作を行ったとする（Ｓ５１０８）。この場合、判断部４３は、退室操作が行われてから所定時間経過すると、退室操作の判定を確定する（Ｓ５１０９）。したがって、判断部４３は、施設１２の利用が終了（チェックアウト）したと判断する（Ｓ５１１０）。
【０１２１】
次に、２つ目のシチュエーションとして、最初に入室する利用者が入室操作を失念し、二人目以降の利用者が受付時間内に入室操作を実行する（Ｓ５２０１）、というシチュエーションがある。ここでは、二人目の利用者が入室操作を実行したとする。
【０１２２】
二人目の利用者が行った入室操作（Ｓ５２０２）を、判断部４３は、１回目の入室操作（初回入室操作）であると判定する（Ｓ５２０３）。したがって、判断部４３は、施設１２の利用が開始（チェックイン）されたと判断する（Ｓ５２０４）。
【０１２３】
また、三人目以降の利用者が、再び入室操作を行う場合がある（Ｓ５２０５）。例えば、三人目の利用者が、入力装置２１の操作部２１１を第２位置（入室表示）から第１位置（退室表示）に移動させた後、所定時間内に再び第１位置（入室表示）へ移動させる場合がある。この場合、判断部４３は、二回目以降の入室操作（複数回目入室操作）と判定し、三人目の利用者が行った退室操作を無効とする（Ｓ５２０６）。したがって、判断部４３は、施設１２の利用が継続（チェックイン維持）されていると判断する（Ｓ５２０７）。
【０１２４】
また、利用者が施設１２の利用を終了し、退室操作を行ったとする（Ｓ５２０８）。この場合、判断部４３は、退室操作が行われてから所定時間経過すると、退室操作の判定を確定する（Ｓ５２０９）。したがって、判断部４３は、施設１２の利用が終了（チェックアウト）したと判断する（Ｓ５２１０）。
【０１２５】
３つ目のシチュエーションとして、予約開始時刻から所定時間以上経過しても入室操作が実行されない（Ｓ５３０１）、というシチュエーションがある。この場合、判断部４３は、施設１２の利用がされない予約（いわゆる空予約）であると判定し、予約をキャンセル（自動キャンセル）する（Ｓ５３０２）。
【０１２６】
４つ目のシチュエーションとして、受付時間外に利用者が入室操作を実行する（Ｓ５４０１）、というシチュエーションがある。
【０１２７】
現在時刻から規定時間内に次の予約がある場合（Ｓ５４０２）、判断部４３は、１回目の入室操作（初回入室操作）であると判定する（Ｓ５４０３）。したがって、判断部４３は、施設１２の利用が開始（チェックイン）されたと判断し、さらに次の予約開始時刻までの臨時予約（第２臨時予約）を行う（Ｓ５４０４）。
【０１２８】
現在時刻から規定時間内に次の予約がない場合（Ｓ５４０５）、判断部４３は、１回目の入室操作（初回入室操作）であると判定する（Ｓ５４０６）。したがって、判断部４３は、施設１２の利用が開始（チェックイン）されたと判断し、さらに所定時間の臨時予約（第１臨時予約）を行う（Ｓ５４０７）。
【０１２９】
また、利用者が施設１２の利用を終了し、退室操作を行ったとする（Ｓ５４０８）。この場合、判断部４３は、退室操作が行われてから所定時間経過すると、退室操作の判定を確定する（Ｓ５４０９）。したがって、判断部４３は、施設１２の利用が終了（チェックアウト）したと判断する（Ｓ５４１０）。
【０１３０】
次に、前の予約の利用者が退室時に退室操作を行わずに退室した場合について、図９を参照して説明する。
【０１３１】
前の予約の利用者が退室時に退室操作を行わずに退室したとする（Ｓ６００１）。したがって、次の予約の利用者の入室時において、入力装置２１の操作部２１１の位置が第２位置（入室表示）である。
【０１３２】
その後のシチュエーションとして、以下の３つの例がある。
【０１３３】
１つ目のシチュエーションとして、次の予約の利用者が入室操作を実行しないで入室する（Ｓ６１０１）、というシチュエーションがある。この場合、判断部４３は、１回目の入室操作（初回入室操作）を受け付けたとみなし（Ｓ６１０２）、施設１２の利用が継続されている（チェックイン維持）と判断する（Ｓ６１０３）。また、前の予約の利用者が次の予約の受付時間の開始時間（予約開始時刻）以降も延長利用している場合もある。この場合も上記同様に、判断部４３は、１回目の入室操作（初回入室操作）を受け付けたとみなし、施設１２の利用が継続されている（チェックイン維持）と判断する。
【０１３４】
２つ目のシチュエーションとして、次の予約の利用者が入室操作を実行する（Ｓ６２０１）、というシチュエーションがある。例えば、次の予約の利用者が、入力装置２１の操作部２１１を第２位置（入室表示）から第１位置（退室表示）に移動させた後、再び第２位置（入室表示）へ移動させる。
【０１３５】
入室操作が前の予約の予約時間中に行われた場合（Ｓ６２０２）、判断部４３は、二回目以降の入室操作（複数回目入室操作）と判定する（Ｓ６２０３）。したがって、判断部４３は、施設１２の利用が継続されている（チェックイン維持）と判断する（Ｓ６２０４）。
【０１３６】
また、入室操作が予約時間内に行われる場合がある（Ｓ６２０５）。ここでいう予約時間内とは、前の予約よりも後の予約の時間である。ここでは、利用者が予約した時間内において、入室操作が行われたとする。
【０１３７】
入室操作を行った利用者が一人目である場合（Ｓ６２０６）、判断部４３は、１回目の入室操作（初回入室操作）であると判定する（Ｓ６２０７）。したがって、判断部４３は、施設１２の利用が開始（チェックイン）されたと判断する（Ｓ６２０８）。また、利用者が複数名であり、二人目以降の利用者が、再び入室操作を行った場合（Ｓ６２０９）、判断部４３は、二回目以降の入室操作（複数回目入室操作）であると判定し、二人目以降の利用者が行った退室操作を無効とする（Ｓ６２１０）。したがって、判断部４３は、施設１２の利用が継続されていると判断する（Ｓ６２１１）。
【０１３８】
また、入室操作が予約のない時間に行われる場合がある（Ｓ６２１２）。予約のない時間とは、例えば、前の予約の予約終了時刻から、次の予約の予約開始時刻までの時間である。
【０１３９】
現在時刻から規定時間内に次の予約がある場合（Ｓ６２１３）、判断部４３は、最初の利用者が行った入室操作（Ｓ６２１４）を、１回目の入室操作（初回入室操作）であると判定する（Ｓ６２１５）。したがって、判断部４３は、施設１２の利用が開始（チェックイン）されたと判断し、さらに次の予約開始時刻までの臨時予約（第２臨時予約）を行う（Ｓ６２１６）。
【０１４０】
現在時刻から規定時間内に次の予約がない場合（Ｓ６２１７）、判断部４３は、最初の利用者が行った入室操作（Ｓ６２１８）を、１回目の入室操作（初回入室操作）であると判定する（Ｓ６２１９）。したがって、判断部４３は、施設１２の利用が開始（チェックイン）されたと判断し、さらに所定時間の臨時予約（第１臨時予約）を行う（Ｓ６２２０）。
【０１４１】
また、利用者が施設１２の利用を終了し、退室操作を行ったとする（Ｓ３０１）。この場合、判断部４３は、退室操作が行われてから所定時間経過すると、退室操作の判定を確定する（Ｓ６３０２）。したがって、判断部４３は、施設１２の利用が終了（チェックアウト）したと判断する（Ｓ６３０３）。
【０１４２】
（４）変形例
次に、予約管理システム１１の変形例について説明する。
【０１４３】
（４．１）第１変形例
本変形例に係る予約管理システム１１が備える入力装置２１について、図１０Ａ、図１０Ｂを参照して説明する。
【０１４４】
本変形例の入力装置２１では、ケース２１５の側面に開口２１５２が形成されている。また、操作部２１１における表示部２１１１は、上述した実施形態の操作部２１１の表示部２１１１（図２Ａ、図２Ｂ参照）と比べて、操作部２１１の移動方向に沿った方向の寸法が大きく形成されている。表示部２１１１は、開口２１５２を介して、操作部２１１の移動方向に沿った方向の端部が、ケース２１５の外側に突出可能である。本変形例の入力装置２１では、操作部２１１が第１位置（空室表示）にある場合、表示部２１１１の全体がケース内に収納されている。操作部２１１が第１位置（空室表示）から第２位置（入室表示）に移動すると、表示部２１１１の端部が開口２１５２を介してケース２１５の外側に突出する。表示部２１１１におけるケース２１５の外側に突出する部分に、入室状態であることを示す表記があってもよい。
【０１４５】
本変形例の入力装置２１では、操作部２１１が第１位置にある場合、表示部２１１１全体がケース２１５内に収納され、操作部２１１が第２位置にある場合、表示部２１１１の一部がケース２１５の外側に突出するように構成されている。これにより、利用者は、操作部２１１の位置を認識しやすくなる。
【０１４６】
図１１Ａ、図１１Ｂに示すように、本変形例の入力装置２１は、例えば会議室１２ａの出入口１２１に設けられた扉１２２に取り付けられる。図１１Ａ、図１１Ｂに示した例では、扉１２２は外開き戸であって、利用者は、入室時に扉１２２を引くことによって扉１２２を開ける。入力装置２１は、扉１２２における蝶番１２３と反対側の端部に取り付けられている。入力装置２１は、操作部２１１が第２位置（入室表示）である場合、表示部２１１１の一部が、扉１２２における蝶番１２３と反対側の端部よりも突出するように扉１２２に取り付けられる。これにより、操作部２１１が第２位置（入室表示）である場合、表示部２１１１の一部が扉１２２から突出するので、会議室１２ａから退室する利用者が、入力装置２１が入室表示になっていること気付きやすくなる。したがって、利用者が退室時に、退室操作を失念することが抑制される。
【０１４７】
また、図１２に示すように、扉１２２が内開き戸である場合、入力装置２１は、出入口１２１を挟んだ蝶番１２３と反対側の壁１２４の端部に設けられることが好ましい。この場合、入力装置２１は、操作部２１１が第２位置（入室表示）である場合、表示部２１１１の一部が出入口１２１側に向かって壁１２４から突出するように取り付けられる。これにより、会議室１２ａから退室する利用者が、入力装置２１が入室表示になっていること気付きやすくなる。したがって、利用者が退室時に、退室操作を失念することが抑制される。
【０１４８】
また、表示部２１１１における入室、及び空室の表示は、文字ではなく色で表されていてもよい。例えば、入室表示が赤色であり、空室表示が緑色で表される。これにより、入力装置２１の上下を反転することによって、外開き戸と内開き戸との両方に対応することができる。
【０１４９】
なお、入力装置２１は、操作部２１１が第１位置（空室表示）である場合に、表示部２１１１の一部がケース２１５の外側に突出するように構成されていてもよい。
【０１５０】
また、図１３に示すように、入力装置２１は、操作部２１１が第１位置、第２位置それぞれの位置の場合に、表示部２１１１の一部がケース２１５の外側に突出するように構成されていてもよい。ケース２１５には、表示部２１１１を突出させるための２つの開口２１５２が形成されている。操作部２１１が第１位置にある場合、一方の開口２１５２から表示部２１１１の一端部がケース２１５の外側に突出し、操作部２１１が第２位置にある場合、他方の開口２１５２から表示部２１１１の他端部がケース２１５の外側に突出する。これにより、利用者は、操作部２１１が第１位置にあるか第２位置にあるかをより認識しやすくなる。
【０１５１】
また、上述した例では、入力装置２１は、利用者が入室操作及び退室操作を行う際に、操作部２１１を一方向にスライドするように構成されていたが、これに限らない。図１４Ａ、図１４Ｂに示すように、入力装置２１は、利用者が入室操作及び退室操作を行う際に、操作部２１１を回転するように構成されていてもよい。図１４Ａ、図１４Ｂに示す入力装置２１では、一部が切り欠かれた円筒状のケース２１５の略中央部に、操作部２１１のつまみ２１１２が設けられている。つまみ２１１２を回転させることにより、操作部２１１が第１位置と第２位置との間で回転移動する。操作部２１１が第１位置にある場合、表示部２１１１がケース２１５に収納され、操作部２１１が第２位置にある場合、表示部２１１１がケース２１５の外側に突出する。表示部２１１１におけるケース２１５から突出する部分には、入室状態を示す表記が設けられていてもよい。
【０１５２】
（４．２）その他の変形例
上述した制御部４１０は、コンピュータシステムにより実現されている。つまり、制御部４１０は、コンピュータシステムがプログラムを実行することにより実現されている。このプログラムは、コンピュータシステムに以下の予約管理方法を実行させるためのプログラムである。予約管理方法は、入力装置２１が送信した無線信号に基づいて、予約管理を行う。入力装置２１は、操作部２１１を有する。操作部２１１は、予約の実行が開始される場合に第１位置から第２位置に移動され、予約の実行が終了される場合に第２位置から第１位置に移動される。入力装置２１は、操作部２１１が移動された場合に、操作部２１１の移動情報と、ＩＤ情報とを含む無線信号を送信する。予約管理方法は、予約開始時刻を含む予約情報、及びＩＤ情報を対応付けて記憶部４４に記憶し、現在の時刻と予約開始時刻と移動情報とに基づいて、予約の実行状況を判断する。このような、予約管理方法及びプログラムによれば、予約の実行状況の管理が可能になる。
【０１５３】
また、上述した例では、予約管理装置４１は、入力装置２１が送信した無線信号を中継器３１を介して間接的に受信するように構成されているが、これに限らず、入力装置２１が送信した無線信号を直接的に受信するように構成されていてもよい。
【０１５４】
また、予約管理システム１１の適用は、施設１２の予約管理に限らない。例えば、予約管理システム１１は、例えば自転車、車等のレンタル予約の管理に適用されてもよい。また、予約管理システム１１は、例えば従業員の出勤管理に用いられてもよい。この場合、出勤が予約の実行開始に相当し、退勤が予約の実行終了に相当する。従業員は、出勤時及び退勤時に入力装置２１の操作部２１１を移動させる。
【０１５５】
また、上述した例では、予約管理部の機能は、１つの装置（予約管理装置４１）に集約されているが、複数の装置に分散されていてもよい。また、予約管理部の機能の少なくとも一部が、例えば、クラウド（クラウドコンピューティング）によって実現されていてもよい。
【０１５６】
以上述べた予約管理部（予約管理装置４１）の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における予約管理部の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。ここでは、ＩＣやＬＳＩと呼んでいるが、集積の度合いによって呼び方が変わり、システムＬＳＩ、ＶＬＳＩ（very large scale integration）、若しくはＵＬＳＩ（ultra large scale integration）と呼ばれるものであってもよい。ＬＳＩの製造後にプログラムされる、フィールド・プログラマブル・ゲート・アレイ（ＦＧＰＡ）、又はＬＳＩ内部の接合関係の再構成又はＬＳＩ内部の回路区画のセットアップができる再構成可能な論理デバイスも同じ目的で使うことができる。複数の電子回路は、１つのチップに集約されていてもよいし、複数のチップに分散して設けられていてもよい。複数のチップは、１つの装置に集約されていてもよいし、複数の装置に分散して設けられていてもよい。
【０１５７】
（まとめ）
第１態様に係る予約管理システム（１１）は、入力装置（２１）と、予約管理部（予約管理装置４１）と、を備える。入力装置（２１）は、第１位置と第２位置との間で移動可能な操作部（２１１）を有し、操作部（２１１）が移動された場合に、操作部（２１１）の移動情報と、ＩＤ情報とを含む無線信号を送信する。予約管理部（４１）は、入力装置（２１）が送信した無線信号に基づいて、予約管理を行う。操作部（２１１）は、予約の実行が開始される場合、第１位置から第２位置に移動され、予約の実行が終了される場合、第２位置から第１位置に移動される。予約管理部（４１）は、計時部（４５）と、記憶部（４４）と、判断部（４３）と、を有する。計時部（４５）は、時刻を計時する。記憶部（４４）は、開始予定時刻を含む予約情報、及びＩＤ情報を対応付けて記憶する。判断部（４３）は、現在の時刻と予約開始時刻と移動情報とに基づいて、予約の実行状況を判断する。
【０１５８】
この態様によれば、記憶部（４４）に予約情報及びＩＤ情報が記憶され、判断部（４３）が予約の実行状況を判断するので、予約情報と利用状況（予約の実行状況）との連携が可能になる。
【０１５９】
第２態様に係る予約管理システム（１１）では、第１態様において、判断部（４３）は、操作部（２１１）が第２位置から第１位置に移動されてから、所定時間後に予約の実行が終了したと判断する。
【０１６０】
この態様によれば、利用者が誤って操作部（２１１）を第２位置から第１位置に移動させたとしても、操作部（２１１）を第２位置に戻した場合、予約の実行が終了したと誤判断することが抑制される。
【０１６１】
第３態様に係る予約管理システム（１１）では、第１又は第２態様において、判断部（４３）は、開始予定時刻に操作部（２１１）が第２位置にある場合、予約の実行が開始されたと判断する。判断部（４３）は、予約開始時刻から所定時間までに操作部（２１１）が第１位置から第２位置に移動されなかった場合、予約をキャンセルする。
【０１６２】
この態様によれば、実行を伴わない予約（空予約）をキャンセルすることが可能になる。
【０１６３】
第４態様に係る予約管理システム（１１）では、第１〜第３態様のいずれかにおいて、判断部（４３）は、予約がない時間帯に操作部（２１１）が第１位置から第２位置に移動された場合、記憶部（４４）に、予約情報を記憶せず、実行履歴を記憶する。
【０１６４】
この態様によれば、予約なしで実行された場合の履歴を管理することが可能となる。
【０１６５】
第５態様に係る予約管理システム（１１）では、第１〜第３態様のいずれかにおいて、判断部（４３）は、予約がない時間帯に操作部（２１１）が第１位置から第２位置に移動された場合、記憶部（４４）に、現在の時刻を予約開始時刻とする予約情報を記憶部（４４）に記憶する。
【０１６６】
この態様によれば、入力装置（２１）を操作することにより臨時に予約を申請することが可能になる。
【０１６７】
第６態様に係る予約管理システム（１１）では、第５態様において、判断部（４３）は、予約がない時間帯に操作部（２１１）が第１位置から第２位置に移動された場合、記憶部（４４）に、現在の時刻から所定時間後、又は次の予約の予約開始時刻を予約終了時刻とする予約情報を記憶部（４４）に記憶する。
【０１６８】
この態様によれば、臨時に申請された予約が、他の予約と時間重複することが抑制される。
【０１６９】
第７態様に係る予約管理システム（１１）では、第１〜第６態様において、記憶部（４４）は、入力装置（２１）における操作部（２１１）の現在の位置とＩＤ情報とを対応付けて記憶する。
【０１７０】
この態様によれば、予約管理部（４１）は、入力装置（２１）の現在の操作部（２１１）の位置を通信を行うことなく把握することが可能になる。
【０１７１】
第８態様に係る入力装置（２１）は、予約管理システム（１１）に用いられ、操作部（２１１）と、表示部（２１１１）と、ケース（２１５）と、を備える。表示部（２１１１）は、予約の実行状況を表示する。ケース（２１５）は、操作部（２１１）及び表示部（２１１１）を保持する。表示部（２１１１）は、操作部（２１１）の移動に応じて移動するように構成され、操作部（２１１）が第１位置と第２位置との少なくとも一方の位置にある場合、ケース（２１５）から突出する。
【０１７２】
この態様によれば、利用者が、操作部（２１１）の位置を認識しやすくなる。
【０１７３】
第９態様に係る予約管理方法は、入力装置（２１）が送信した無線信号に基づいて、予約管理を行う。入力装置（２１）は、操作部（２１１）を有する。操作部（２１１）は、予約の実行が開始される場合に第１位置から第２位置に移動され、予約の実行が終了される場合に第２位置から第１位置に移動される。入力装置（２１）は、操作部（２１１）が移動された場合に、操作部（２１１）の移動情報と、ＩＤ情報とを含む無線信号を送信する。予約管理方法は、予約開始時刻を含む予約情報、及びＩＤ情報を対応付けて記憶部（４４）に記憶し、現在の時刻と予約開始時刻と移動情報とに基づいて、予約の実行状況を判断する。
【０１７４】
この態様によれば、予約情報と利用状況（予約の実行状況）との連携が可能になる。
【０１７５】
第１０態様に係るプログラムは、コンピュータシステムに予約管理方法を実行させる。
【０１７６】
この態様よれば、予約情報と利用状況（予約の実行状況）との連携が可能になる。
【符号の説明】
【０１７７】
１１  予約管理システム
２１  入力装置
２１１  操作部
２１１１  表示部
２１５  ケース
４１  予約管理装置（予約管理部）
４３  判断部
４４  記憶部
４５  計時部
【図１】
2019102916.tif 000005
【図２】
2019102916.tif 000006
【図３】
2019102916.tif 000007
【図４】
2019102916.tif 000008
【図５】
2019102916.tif 000009
【図６】
2019102916.tif 000010
【図７】
2019102916.tif 000011
【図８】
2019102916.tif 000012
【図９】
2019102916.tif 000013
【図１０】
2019102916.tif 000014
【図１１】
2019102916.tif 000015
【図１２】
2019102916.tif 000016
【図１３】
2019102916.tif 000017
【図１４】
2019102916.tif 000018
【国際調査報告】
2019102916.tif 000019
2019102916.tif 000020
2019102916.tif 000021